(57)【要約】【課題】屋根に積もった雪を確実に屋根から降ろすことができる屋根の雪降ろし装置を提供する。【解決手段】屋根１００の上に、屋根１００の傾斜に沿って縦方向に配設され、外周面に所定幅で軸線方向に長く伸びる雪取り込み用の開口部２２が形成された管体２０と、管体２０を軸線周りに常に回転させるための管体回転装置３０と、管体２０を屋根１００の横方向に間欠的に移動させる管体移動装置４０とを備え、管体移動装置４０は、開口部２２が管体２０の前進方向側の雪を取り込み可能な位置に回転してきた際に、所定距離管体を移動させ、開口部２２から取り込んだ屋根１００の雪を順次管体２０の内部空間を通じて屋根１００の下に滑落させることを特徴とする。【選択図】図１
2007303169.tif 000002
【特許請求の範囲】
【請求項１】
建築物の屋根の上に、該屋根の傾斜に沿って縦方向に配設され、外周面に所定幅で軸線方向に長く伸びる雪取り込み用の開口部が形成された管体と、
前記管体を軸線周りに常に回転させるための管体回転装置と、
前記管体を前記屋根の横方向に間欠的に移動させる管体移動装置とを備え、
前記管体移動装置は、前記開口部が管体の前進方向側の雪を取り込み可能な位置に回転してきた際に、所定距離管体を移動させ、
前記開口部から取り込んだ屋根の雪を順次前記管体の内部空間を通じて屋根の下に滑落させることを特徴とする屋根の雪降ろし装置。
【請求項２】
前記開口部の管体回転方向の後端縁側が、前記管体の外方に突出する突出部に形成されていることを特徴とする請求項１記載の屋根の雪降ろし装置。
【請求項３】
建築物の屋根の上に、該屋根の傾斜に沿って縦方向に配設され、外周面に所定幅で軸線方向に長く伸びる雪取り込み用の開口部が形成された管体と、
該管体の内側に、管体の内周面に沿って周方向にスライド可能に配設されると共に、一方側にスライド位置した際に、前記管体の前記開口部に連通する第１の取込部が開口され、他方側にスライド位置した際にも前記管体の前記開口部に連通する第２の取込部が開口されたスライド板と、
該スライド板の前記第１および第２の取込部の間に取り付けられ、前記管体の前記開口部から外方に突出する突出部と、
前記管体を軸線周りに常に回転させるための管体回転装置と、
前記管体を前記屋根の横方向に間欠的に移動させる管体移動装置とを備え、
前記管体移動装置は、前記開口部が管体の前進方向側の雪を取り込み可能な位置に回転してきた際に、所定距離管体を移動させ、
前記開口部から取り込んだ屋根の雪を順次前記管体の内部空間を通じて屋根の下に滑落させることを特徴とする屋根の雪降ろし装置。
【請求項４】
前記突出部が櫛歯状に形成されていることを特徴とする請求項２または３項記載の屋根の雪降ろし装置。
【請求項５】
前記管体の下端部には、調整管を接続するための管継手が設けられていることを特徴とする請求項１〜４のうちのいずれか一項記載の屋根の雪降ろし装置。
【請求項６】
前記管体回転装置は、前記屋根の両横に配設されたスプロケットに掛け渡されたチェーンと、前記管体の外周面に設けられ、前記チェーンに噛合するギアと、前記スプロケットを回転駆動する駆動装置とを具備することを特徴とする請求項１〜５のうちのいずれか一項記載の屋根の雪降ろし装置。
【請求項７】
前記管体移動装置は、前記管体に連携されたワイヤと、該ワイヤを屋根の横方向に往復動させる駆動装置とを具備していることを特徴とする請求項１〜６のうちのいずれか一項記載の屋根の雪降ろし装置。
【請求項８】
前記管体を屋根の縦方向に傾斜した姿勢を維持した状態で屋根の横方向へ移動するように、管体の移動をガイドするガイド機構を有していることを特徴とする請求項１〜７のうちのいずれか一項記載の屋根の雪降ろし装置。
【発明の詳細な説明】
【技術分野】
【０００１】
本発明は、屋根の雪降ろし装置に関し、より詳細には、屋根に積もった雪を確実に屋根から降ろすことができる屋根の雪降ろし装置に関する。
【背景技術】
【０００２】
降雪量が多い地方における家屋等の建築物においては、屋根に積もった雪を適宜取り除く必要がある。特に、木造家屋においては、屋根の雪降ろしをしないと雪の重みにより家屋が倒壊してしまうおそれもあるため、屋根の雪降ろし作業は欠かせないものである。
このような雪降ろし作業は、居住人等が屋根に上りスコップ等を用いて雪を降ろすといった人力による作業が主流である。人力による屋根の雪降ろし作業は、雪降ろし作業中に誤って屋根から滑り落ちてしまうといった危険が伴うことや重労働であるため、近年においては機械化がすすめられている。
【０００３】
具体的には、傾斜を持たせた屋根の上面にワイヤを配設し、ワイヤを屋根に沿って移動させることにより屋根の雪を切断して屋根の上を滑らせて落下させる屋根の除雪装置（特許文献１）や、屋根の上に機械的振動を発生する加振機と加振機により振動する振動板を用いて屋根の雪を落とす落雪装置（特許文献２）等が提案されている。
【特許文献１】特開平９−２８７２６２号公報
【特許文献２】特開２０００−１４５０７６号公報
【発明の開示】
【発明が解決しようとする課題】
【０００４】
しかしながら、特許文献１および特許文献２における屋根の雪降ろし装置においては、屋根から降ろすべき雪を屋根部分から切り離し、屋根の上を滑り落として落下させる方式であるため、必ずしも屋根から切り離された雪が落下するとは限らない。よって雪を屋根から切り離したとしても依然として屋根の上に残留してしまい、結局は人が屋根に上って雪を落下させなければならいといった課題がある。
【０００５】
本発明は、屋根から切り離した雪を確実に屋根から降ろすことができる全自動雪降ろし装置を提供することを目的とする。
【課題を解決するための手段】
【０００６】
上記目的を達成するべく、本発明は以下の構成を備える。
すなわち、建築物の屋根の上に、該屋根の傾斜に沿って縦方向に配設され、外周面に所定幅で軸線方向に長く伸びる雪取り込み用の開口部が形成された管体と、前記管体を軸線周りに常に回転させるための管体回転装置と、前記管体を前記屋根の横方向に間欠的に移動させる管体移動装置とを備え、前記管体移動装置は、前記開口部が管体の前進方向側の雪を取り込み可能な位置に回転してきた際に、所定距離管体を移動させ、前記開口部から取り込んだ屋根の雪を順次前記管体の内部空間を通じて屋根の下に滑落させることを特徴とする屋根の雪降ろし装置である。
【０００７】
また、前記開口部の管体回転方向の後端縁側が、前記管体の外方に突出する突出部に形成されていることを特徴とする。
これにより、屋根の雪を管体の開口部分に取り込みやすくなり、効率的な雪降ろしが可能になる。
【０００８】
また、他の発明は、建築物の屋根の上に、該屋根の傾斜に沿って縦方向に配設され、外周面に所定幅で軸線方向に長く伸びる雪取り込み用の開口部が形成された管体と、該管体の内側に、管体の内周面に沿って周方向にスライド可能に配設されると共に、一方側にスライド位置した際に、前記管体の前記開口部に連通する第１の取込部が開口され、他方側にスライド位置した際にも前記管体の前記開口部に連通する第２の取込部が開口されたスライド板と、該スライド板の前記第１および第２の取込部の間に取り付けられ、前記管体の前記開口部から外方に突出する突出部と、前記管体を軸線周りに常に回転させるための管体回転装置と、前記管体を前記屋根の横方向に間欠的に移動させる管体移動装置とを備え、前記管体移動装置は、前記開口部が管体の前進方向側の雪を取り込み可能な位置に回転してきた際に、所定距離管体を移動させ、前記開口部から取り込んだ屋根の雪を順次前記管体の内部空間を通じて屋根の下に滑落させることを特徴とする屋根の雪降ろし装置である。
これにより、管体を移動させた後に、管体移動装置を駆動させて管体を元の位置に戻す必要がなくなり、管体移動装置を駆動させるための電力エネルギを大幅に節約することができる。
【０００９】
また、前記突出部が櫛歯状に形成されていることを特徴とする。
これにより、固くなってしまった雪であっても少ない動力で確実に屋根と切り離すことができる。
【００１０】
また、前記管体の下端部には、調整管を接続するための管継手が設けられていることを特徴とする。
これにより、それぞれの屋根の長さに応じた管体を個別に準備する必要がなくなり、管体を標準化することができるので雪降ろし装置を安価に提供することができる。
【００１１】
また、前記管体回転装置は、前記屋根の両横に配設されたスプロケットに掛け渡されたチェーンと、前記管体の外周面に設けられ、前記チェーンに噛合するギアと、前記スプロケットを回転駆動する駆動装置とを具備することを特徴とする。
これにより、管体回転装置を簡易な構成にすることができる。
【００１２】
また、前記管体移動装置は、前記管体に連携されたワイヤと、該ワイヤを屋根の横方向に往復動させる駆動装置とを具備していることを特徴とする。
これにより、管体移動装置を簡易な構成にすることができる。
【００１３】
また、前記管体を屋根の縦方向に傾斜した姿勢を維持した状態で屋根の横方向へ移動するように、管体の移動をガイドするガイド機構を有していることを特徴とする。
これにより、屋根の雪は均等な深さで管体に取り込まれることになり、屋根の雪を均一に降ろすことができる。
【発明の効果】
【００１４】
本発明に係る屋根の雪降ろし装置の構成を採用することにより、屋根の上から切り離した雪を確実に屋根から降ろすことができるので、本当の意味で全自動の雪降ろしが可能になる。
【発明を実施するための最良の形態】
【００１５】
（第１実施形態）
以下、本発明の好適な実施の形態について添付図面を参照しながら詳細に説明する。図１は本実施の形態に係る屋根の雪降ろし装置を装着した家屋の屋根部分の正面図である。図２は、本実施の形態に係る屋根の雪降ろし装置を装着した家屋の屋根部分の側面図である。図３は、図１中のＡ−Ａ線における端面図である。図４は、管体移動装置の要部を示す説明図である。図５は、管体により屋根の雪を取り込む状態を示す説明図である。図６は、管体を所定の姿勢を維持させたまま移動させるためのガイド機構を示す説明図である。
本実施の形態における屋根の雪降ろし装置１０は、屋根１００の上に屋根１００の傾斜に沿って配設され、外周面に開口部２２を有する管体２０と、管体２０を軸線周りに常時回転させる管体回転装置３０と、屋根１００の横方向に管体２０を間欠移動させる管体移動機構４０を有している。５０、６０はそれぞれガイド機構および固定部材である。
【００１６】
管体２０について説明する。
管体２０は図１に示すように、管体２０の下側端部位置が屋根１００の軒先１０４位置よりも外側（下方）位置となるような長さを有している。管体２０の外周面には屋根１００に積もった雪を管体２０の内部空間に取り込むための開口部２２が形成されている。開口部２２は管体２０の軸線方向に軒先１０４位置まで形成され、所要の幅を有する細長い長方形状に形成されている。管体２０の回転方向側における開口部２２の前端縁部２２ａおよび後端縁部２２ｂのうち少なくとも後端縁部２２ｂには、図３に示すように管体２０の外方に突出した後、先端部が管体２０の回転方向に向かうように曲折させて形成した突出部２４が形成されている。また、管体２０の外周面にはギア２６および係止片２８が形成されている。ギア２６および係止片２８の形成方法は特に限定されるものではない。本実施の形態においては、管体２０とは別体に形成したリング状のギア２６を管体２０の外周面にはめ込み、管体２０とは別体に形成された係止片２８をギア２６の近傍に接着や溶接等により固定している。
【００１７】
管体２０の材質は特に限定されるものではないが、管体２０の内表面には開口部２２から取り込まれた雪が付着しにくくなるようなフッ素樹脂コート等による表面の摩擦抵抗を低減させる加工がなされていることが好ましい。また、管体２０は、屋根１００の棟１０２付近から軒先１０４までの距離より長いものが用いられ、管体２０の径寸法は、積雪量に応じた寸法のものを適宜採用することができる。本実施の形態における管体２０は、径寸法が５００ｍｍ程度のものを用いている。
【００１８】
管体回転装置３０について説明する。
管体回転装置３０は、屋根１００の横方向端部に配設されたスプロケット３２、３２と、スプロケット３２間に掛け渡されたチェーン３４と、スプロケット３２の回転軸３２ａに連結され、スプロケット３２を駆動するモータ等の駆動装置３６とにより構成されている（図２および図４）。
管体２０は、管体２０に周設されたギア２６をチェーン３４に噛合するようにして配設されている。モータ等の駆動装置３６によりチェーン３４がスプロケット３２間を図４のＡ方向に回転すると、チェーン３４の回転移動に合わせて管体２０が管軸周りに回転する（図４のＢ方向）。以上のような構成であるから管体２０は、駆動装置３６が駆動している間は、常時回転運動をすることになる。
【００１９】
管体移動装置４０について説明する。
本実施の形態における管体移動装置４０は屋根１００に取り付けられた係止板４２と、管体２０に設けられた係止片２８とを具備する。係止板４２は、屋根の横方向の一端側から他端側に向かってチェーン３４に並行して屋根１００の上面に設けられている。係止板４２には管体２０に形成された係止片２８が進入可能な進入部４２ａが所要間隔をあけて形成されている。
係止板４２の両端部には管体２０の移動を制限するためのストッパ４４が配設されている。またストッパ４４には図示しない接触スイッチが配設されている。接触スイッチは駆動装置３６への動力の供給をオン−オフ制御するものである。
【００２０】
駆動装置３６によるチェーン３４の回転に伴って管体２０が回転すると、管体２０に固定されている係止片２８も回転運動を始める。管体２０の回転運動により係止片２８が係止板４２の進入部４２ａ位置に到達すると、係止片２８の先端部分が進入部４２ａに進入し、噛合してギア構造をなす。係止片２８と進入部４２によりギア構造をなした後も管体２０（係止片２８）が回転し続けるので、係止片２８が屋根１００に取り付けられている係止板４２の進入部４２ａから反力を得て、管体２０が管体２０の回転方向に移動する。係止片２８は管体２０の外周面の限定された範囲にのみ形成されているので、管体２０は所要距離ずつ間欠的に移動する。
【００２１】
本実施の形態における管体２０の移動は、開口部２２により屋根１００の雪が取り込み可能な範囲において管体２０が移動するように設けられている。
すなわち、図５に示すように、管体２０が、開口部２２が管体２０の前進方向側の屋根１００の雪を取り込み可能な位置に回転してきた際に、管体移動装置４０により、図５の矢印Ｂ方向に所定距離移動させるのである。この管体２０の移動と回転により、開口部２２から管体２０の内部空間に屋根１００の雪が所要量取り込まれ、管体２０の内部空間を滑落するのである。
【００２２】
管体２０の１回の移動量は、管体２０の回転速度にもよるが、管体２０の径寸法が５００ｍｍ程度のときは、概ね１００ｍｍ程度とするのが良い。要は、管体２０の径寸法、管体２０の回転速度、管体２０の移動量は、管体２０の管体回転方向への移動を妨げられることなく、管体２０の内部空間に屋根１００の雪が無理なく取り込むことができる条件に設定するのである。
なお、図示の例においては、係止片２８は１つのみ設けたが、上記必要な移動量を確保するために、複数設けても良いことはもちろんである。
【００２３】
ガイド機構５０について説明する。
ガイド機構５０は、屋根１００の上に配設された管体２０が、当初の姿勢を維持した状態で屋根１００の横方向への移動を維持させるためのものである。ガイド機構５０はレール５２と保持体５４により形成されている。
屋根１００の上面には、チェーン３４の上側（棟側）および下側（軒先側）にレール５２が配設されている。レール５２はチェーン３４と並行に配設されている。
図６に示すように、レール５２の側面のうち、チェーン３４と対向する側には、Ｃ溝５２ａが形成されている。Ｃ溝５２ａはレール５２の全長にわたって形成されている。
【００２４】
レール５２に沿って、管体２０の外周上面側を覆って、逆Ｕ字状をなす保持体５４が設けられている。保持体５４は管体２０の回転を許容する。保持体５４の下端部にはＣ溝５２ａに遊嵌するローラ５４ａが設けられている。ローラ５４ａはＣ溝５２ａ内をスライドする。したがって、管体移動装置４０によって管体２０が間欠的に移動するとき、ローラ５４ａがＣ溝５２ａ内を転動し、管体２０の移動がレール５２によってガイドされる。
【００２５】
管体２０の外周には、保持体５４を係止させるための係止部２９が形成されている。保持体５４を係止部２９に係止させることにより、管体２０の軸方向の移動を抑えることができる。具体的には管体２０の外周面に保持体５４が収まるように形成された凹部や、保持体５４を係止させるための突起等を採用することができる。
【００２６】
また本実施の形態においては、図１、図２に示すように、管体２０が配設される側の屋根１００から対向する側の屋根１０１の一部にかけて、固定部材６０が取り付けられている。
急勾配な屋根１００や横方向に長い屋根１００を有する建築物の場合には、チェーン３４および／またはレール５２が自重により屋根１００の傾斜方向にたわみ、管体２０の回転動作および／または移動動作が妨げられてしまうおそれがある。固定部材６０は、チェーン３４および／またはレール５２を固定するためのものであり、棟１０２から軒先１０４の方向に配設している。固定部材６０の固定方法は、チェーン３４および／またはレール５２がたわまないようにすることができれば、固定部材６０の固定延長や固定方法は特に限定されるものではない。
【００２７】
本実施の形態における屋根の雪降ろし装置１０は以上のような構成を有している。続いて本実施の形態に係る屋根の雪降ろし装置１０の使用例について説明する。
図示しないスイッチにより屋根の雪降ろし装置１０に電源を印加すると、モータ等の駆動装置３６が作動し、スプロケット３２を駆動させてチェーン３４がスプロケット３２間で回転する。チェーン３４は管体２０に形成されているギア２６と噛合しているので、チェーン３４をスプロケット３２間で回転させている間においては管体２０が常に回転する。管体２０の回転により、管体２０の外周面に形成された係止片２８が係止板４２の進入穴４２ａに噛合してギア構造をなすことにより、管体２０を管体回転方向に間欠移動させる。
【００２８】
管体２０が管体回転方向に移動する際には、図５に示すように、開口部２２の一部をなす突出部２４が屋根１００の雪を切り取ると共に開口部２２から管体２０の内部空間に取り込む。管体２０の内部空間に取り込まれた雪は、順次管体２０の内部空間を通じて下方に滑落し、地上等に落下されるため、屋根１００から一旦切り離された雪は再び屋根１００にとどまってしまうことはない。
このようにして管体２０が常に回転しながら屋根１００の横方向の所要距離を間欠的に移動することにより、屋根１００の雪を確実に地上等に降ろすことができる。
【００２９】
管体２０が屋根１００の他端側まで移動すると、ストッパ４４により移動が制限される。ストッパ４４に取り付けられている接触スイッチにより駆動装置３６への電源供給が停止され、管体２０の回転移動が停止する。
管体２０の回転移動により屋根１００の雪が降ろされているので、ストッパ４４の接触スイッチにより管体２０の回転移動を一旦停止させた後、駆動装置３６を逆回転させて管体２０を元の位置に戻すことももちろん可能である。
【００３０】
（第２実施形態）
本実施の形態においては、第１実施形態で説明した部分と異なる部分のみについて詳細な説明を行うものとし、第１実施形態と同じ構成については同じ符号を付すことにより詳細な説明を省略している。図７は、屋根の雪降ろし装置の第２実施形態の一例を示す説明図である。図８は、管体移動装置の他の実施形態の一例を示す説明図である。
【００３１】
管体２０の他の構成について説明する。
本実施の形態においては管体２０の長さをそれぞれの屋根１００にあわせたものを用いるのではなく、図７に示すように、共通の管体２１を用い、屋根１００の大きさに対する管体２０の長さを調整するための調整管２３を共通の管体２１の下端部分に取り付けている。共通の管体２１の外周面にも雪を取り込むための開口部２２ａと突出部２４ａが形成されている。共通の管体２１の下端部分には、管継手２５が取り付けられているので、管継手２５に調整管２３を差し込むだけで接続ができる。管継手２５の位置が屋根１００の軒先１０４位置よりも上側である場合には、調整管２３の外周面にも共通の管体２１と同様に形成した開口部２２ｂおよび突出部２４ｂを軒先１０４位置まで形成しておけばよい。これに対して、管継手２５の位置が屋根１００の軒先１０４位置よりも下側である場合には、雪を管体２０の内部空間に取り込む作用は必要ないため開口部を有しない単純な管を調整管２３として用いることができる。
このような調整管２３を用いることにより、屋根１００の大きさにそれぞれ適合させた個別の管体２０を作る必要がなくなり、共通の管体２１を標準品として提供することが可能になるので、屋根の雪降ろし装置１０の提供コストを安価にすることができる。
【００３２】
また、管体２０の外周面に形成する突出部２４を開口部２２の前端縁部に設けることもできる。このように、突出部２４を開口部２２の前端縁部および後端縁部に形成することで、管体２０がどちらの方向に回転しても屋根１００の雪を切り離すと共に、開口部２２に屋根１００から切り離した雪を管体２０の内部空間に取り込むことができる。この構成を採用することにより実施形態その１のように管体２０を移動させた後、管体２０を初期位置に戻す必要がなくなるため、余分なエネルギを消費せずに済み、ランニングコストを低減することができる。
この場合、複数の係止片２８と進入部４２ａの組み合わせが必要になるが、管体２０の回転方向に応じて一対の係止片２８と進入部４２ａのみに反力が生じるような係止片２８と進入部４２ａの形状を採用すれば、いずれの方向に管体２０が回転した場合であっても、管体２０の開口部２２が屋根１００の雪を取り込み可能な範囲においてのみ管体２０を移動させることは十分可能である。
【００３３】
管体移動装置４０の他の構成について説明する。
管体移動装置４０の他の構成としては、例えば図８に示すように、保持体５４および図示しない駆動装置に連繋されたワイヤ４８により構成することも可能である。すなわち、駆動装置によりワイヤ４８を介して保持体５４を所要方向に引っ張り、これにより、管体２０を移動させることができる。このような構成とした場合には、管体２０に形成された開口部２２の回転位置と、駆動装置の駆動制御の同期を取らなければならない。本実施の形態においては、管体２０の外周面に形成されたギア２６の歯数、チェーン３４のコマの大きさ、スプロケット３２の歯数等を予め把握しておき、スプロケット３２の回転数から管体２０の回転状態を算出し、開口部２２の回転位置を求めて、駆動装置の動作を制御する駆動装置制御回路（図示せず）を採用している。また、保持体５４の管体２０下方側には、ワイヤ４８を引張することによる保持体５４の逆Ｕ字形状が崩れてしまうことを防止するための補強具４９を固定しておくことが好ましい。
【００３４】
（第３実施形態）
図９〜図１４は本発明にかかる屋根の雪降ろし装置の第３実施形態を示す。
図９はスライド板７０を示す部分斜視図、図１０はスライド板７０を管体２０に装着した状態の説明図である。図１１〜図１４は第３実施形態における屋根の雪降ろし装置の動作を示す説明図である。
スライド板７０は、断面円弧状をなし、管体２０の内壁面に接触した状態で管体２０の周方向にスライド可能となっている。スライド板７０には、一方側にスライドした際に管体２０の開口部２２と一致する大きさの第１の取込部７６ａと、他方側にスライドした際にやはり開口部２２と一致する大きさの第２の取込部７６ｂとが開口されている。
【００３５】
第１および第２の取込部７６ａ、７６ｂの間には、所要幅のリブ７２が残されている。また、各取込部７６ａ、７６ｂの長手方向に所要間隔をおいて、補強用の円弧状リブ７３が残されている。すなわち、円弧状をなすスライド板７０に取込部７６ａ、７６ｂを開口する際に、これら両リブ７２、７３が残されるように孔明け加工をするのであり、これら両リブ７２、７３によってスライド板７０は所要強度を維持できるようになっている。
【００３６】
リブ７２上には、開口部２２から外方に突出する突出部７４が設けられている。この突出部７４はリブ７２上に溶接等によって取り付けられている。突出部７４は、管体２０の長手方向に延びる一体の一枚板であってもよいが、図示の例では、複数枚の板を長手方向に若干ずつの間隔をおいて配置するようにしている。
スライド板７０の両端側（図９では一端側のみ図示）には、各取込部７６ａ、７６ｂに沿うようにして周方向に延びるガイド孔７８が開口されている。
【００３７】
一方、各ガイド孔７８に対応する管体２０の所定位置にボルト挿通孔２０ａが設けられ、このボルト挿通孔２０ａおよびガイド孔７８を挿通するように頭部付きボルト７９ａが挿入され、ボルト７９ａのネジ先端に二重ナット７９ｂが装着されている。スライド板７０は、ガイド孔７８内を緩く挿通するボルト７９ａにガイドされることにより、管体２０の内壁に沿って周方向にスライド可能となっているのである。
【００３８】
上記のように構成されていて、前記の実施の形態と同様に、図１０に示すように、管体２０を回転させつつ、屋根の一端側から他端側に向けて間欠移動させることにより屋根の雪降ろしが行える。この場合、突出部７４は開口部２２の回転後方側の端縁部２２ｂに当接し、雪は取込部７６ａから管体２０内に取り込まれ、落下される。
なお、管体２０の回転機構、移動機構は上記実施の形態のものを採用できる。
【００３９】
本実施の形態では、管体２０を屋根上で一端から他端に向けて動かして雪降ろしをした場合に、管体２０を元の位置に戻すのではなく、次回の雪降ろしまでその位置に待機させておく。
次回の雪降ろしの場合には、図１１に示すように、管体２０の回転方向を逆回転にさせる。これにより、管体２０の移動方向は図１０とは逆方向になる。突出部７４が屋根の雪Ｚに接触するまでの間は、突出部７４は管体２０と共に回転する。
管体２０の突出部７４が図１２に示すように屋根の雪Ｚに接触すると、屋根の雪Ｚの抵抗によりスライド板７０は、管体２０に対して相対的に管体２０の回転方向と逆方向にスライドすることになる。これにより、スライド板７０の取込部７６は一方の取込部７６ａから他方の取込部７６ｂに徐々に切り替わることになる。
【００４０】
さらに管体２０が回転すると、管体２０の開口部２２の他端縁（当初管体回転方向における前端縁）２２ａが突出部７４の他方の壁部（当初管体回転方向における前側壁部）７４ａを支持し、図１３に示す状態になる。図１３においては、スライド板７０の他方の取込部７６ｂが管体２０の開口部２２と一致する状態になる。図１３に示す状態になると、突出部７４は管体２０の回転方向に沿って管体２０と共に回転運動を再開する。
図１３に示した状態は、管体２０の開口部２２の位置が管体２０の前進方向側の雪Ｚを取り込み可能な位置であるため、管体２０が間欠移動を開始する位置でもある。すなわち、管体２０は回転運動をしながら横方向に移動するのである。すなわち、図１４に示すように、管体２０の開口部２２およびスライド板７０の他方の取込部７６ｂから管体２０の内部空間に屋根の雪Ｚが順次取り込まれ、取り込まれた屋根の雪は管体２０の内部空間を通じて屋根の下に滑落するのである。
【００４１】
このように、管体２０の開口部２２に位置する突出部７４を管体２０の回転方向に対して常に後端縁側になるように配設しておけば、管体２０の運動状態に合わせて雪の取り込みに適した状態にすることができるため好都合である。すなわち、管体２０の移動方向に合わせた突出部７４とすることができるので、屋根の雪降ろし装置１０の一回の運転を一往復にする必要がなくなる。すなわち、往路または復路のいずれか一方のみの運転にすることができるので、低ランニングコストでの利用が可能になる。
【００４２】
以上に本発明にかかる屋根の雪降ろし装置について詳細に説明してきたが、本発明はこれらの実施例に限定されるものではなく、発明の要旨を変更しない範囲における変更をしたとしても本発明の技術的範囲に属するのはいうまでもない。
例えば、管体２０に形成した突出部２４、７４の先端部分をテーパ状に形成する形態の他、突出部２４、７４の先端部分を櫛歯状に形成する形態を採用することもできる。突出部２４、７４の先端部をテーパ状に形成すると共に櫛歯状に形成する形態を採用することももちろん可能である。
このような突出部２４、７４を採用することにより、突出部２４、７４の先端が屋根１００の雪に食い込む際の抵抗が低減するため、容易に屋根１００の雪を切り離すことができる。すなわち、駆動装置３６の回転トルクを小さくすることができ、小型で安価な駆動装置３６を採用することができる。
【００４３】
また、図８に示す管体移動装置４０においては、保持体５４に連繋させたワイヤ４８を駆動装置により巻き付け／巻き出し操作して管体２０を管体回転方向に移動させているが、ワイヤ４８以外の他の線状部材を用いることができるのはもちろんである。このような管体移動装置４０に用いる線条部材は、雪によるすべりの影響を受けないようなチェーン等を好適に用いることができる。
【００４４】
さらには、豪雪地域においては、屋根１００の積雪量を計測する積雪量計測手段と、積雪量計測手段による計測データを受信すると共に、屋根の雪降ろし装置１０を自動的に作動させる自動運転制御部を設ければ、適切なタイミングで屋根の雪降ろし装置１０を作動させることができるので、いわゆるドカ雪により屋根の雪降ろし装置１０が作動できなくなってしまうおそれ等がなくなるため好適である。
【図面の簡単な説明】
【００４５】
【図１】第１実施形態における屋根の雪降ろし装置を装着した家屋の屋根部分の正面図である。
【図２】第１実施形態における屋根の雪降ろし装置を装着した家屋の屋根部分の側面図である。
【図３】図１中のＡ−Ａ線における端面図である。
【図４】管体移動装置の要部を示す説明図である。
【図５】管体により屋根の雪を取り込む状態を示す説明図である。
【図６】管体を所定の姿勢を維持させたまま移動させるためのガイド機構を示す説明図である。
【図７】屋根の雪降ろし装置の第２実施形態の一例を示す説明図である。
【図８】管体移動装置の他の実施形態の一例を示す説明図である。
【図９】スライド板を示す部分斜視図である。
【図１０】スライド板を管体に装着した状態を示す説明図である。
【図１１】第３実施形態における屋根の雪降ろし装置の動作を示す説明図である。
【図１２】第３実施形態における屋根の雪降ろし装置の動作を示す説明図である。
【図１３】第３実施形態における屋根の雪降ろし装置の動作を示す説明図である。
【図１４】第３実施形態における屋根の雪降ろし装置の動作を示す説明図である。
【符号の説明】
【００４６】
１０  屋根の雪降ろし装置
２０  管体
２１  共通の管体
２２  開口部
２３  調整管
２４、２４ａ、２４ｂ  突出部
２５  管継手
２６  ギア
２８  係止片
３０  管体回転装置
３２  スプロケット
３４  チェーン
３６  駆動装置
４０  管体移動装置
４２  係止板
４２ａ  進入部
４４  ストッパ
４８  ワイヤ
５０  ガイド機構
５２  レール
５２ａ  Ｃ溝
５４  保持体
５４ａ  ローラ
６０  固定部材
７０  スライド板
７２  リブ
７３  円弧状リブ
７４  突出部
７６ａ  第１の取込部
７６ｂ  第２の取込部
７８  ガイド孔  
１００  屋根
１０２  棟
１０４  軒先
【図１】
2007303169.tif 000003
【図２】
2007303169.tif 000004
【図３】
2007303169.tif 000005
【図４】
2007303169.tif 000006
【図５】
2007303169.tif 000007
【図６】
2007303169.tif 000008
【図７】
2007303169.tif 000009
【図８】
2007303169.tif 000010
【図９】
2007303169.tif 000011
【図１０】
2007303169.tif 000012
【図１１】
2007303169.tif 000013
【図１２】
2007303169.tif 000014
【図１３】
2007303169.tif 000015
【図１４】
2007303169.tif 000016